(57)【特許請求の範囲】
【請求項１】
基板部、この基板部の左右の側からそれぞれ同一方向にかつ直角に形成される第一の側板部、及び第二の側板部を有する断面コの字状の溝形材を用い、
上記第一の側板部の端部に内側に曲げた係合片部を形成する一方、上記第二の側板部に上記係合片部が係合可能な凹状の係合溝部を形成し、
上記溝形材の端部から、これと同一形状の他の上記溝形材の端部を差し込み、上記係合片部を上記係合溝部に係合させて長手以外の方向には外れないように接合するとともに、上記他の溝形材を長手方向に摺動させて両溝形材同士が接合した断面矩形状の接合部を形成し、この接合部の長さ調整により伸縮自在な長尺材を形成したことを特徴とする溝形材の接合構造。
【請求項２】
上記係合片部をＵ字状に屈曲形成する一方、上記係合溝部をこの係合片部が密着して係合する形状に形成したことを特徴とする請求項１記載の溝形材の接合構造。
【請求項３】
基板部、この基板部の左右の側からそれぞれ同一方向にかつ直角に形成される第一の側板部、及び第二の側板部を有する断面コの字状の溝形材を用い、
上記第一の側板部の端部に内側に曲げた係合片部を形成する一方、上記第二の側板部と上記基板部とが交差する部位に上記係合片部が係合可能な凸状の係合突部を形成し、
上記溝形材の端部から、これと同一形状の他の上記溝形材の端部を差し込み、上記係合片部の溝状部を上記係合突部に係合させて長手以外の方向には外れないように接合するとともに、上記他の溝形材を長手方向に摺動させて両溝形材同士が接合した断面矩形状の接合部を形成し、この接合部の長さ調整により伸縮自在な長尺材を形成したことを特徴とする溝形材の接合構造。
【請求項４】
上記接合部において、重合する上記第一の側板部と上記第二の側板部とをビスで固定したことを特徴とする請求項１，２又は３記載の溝形材の接合構造。
【発明の詳細な説明】
【技術分野】
【０００１】
本発明は、壁、天井、床等の下地材に適した長さ調整可能な溝形材の接合構造に関する。
【背景技術】
【０００２】
建築材料として、壁、天井、床等に用いられる金属製の長尺材（ランナー材、野縁、野縁受け、根太等）は、通常、現場では規格の長さの長尺材、或いは必要な長さにプレカットしたものを用いる。また、現場において長尺材同士を接続して用いる場合もある。
【０００３】
例えば、特許文献１には図１０に示すように、下端が床側のランナーに嵌合されるスタッド９０、このスタッド９０内に嵌合摺動可能なジョイント部材９２、及び継ぎスタッド９４を有するスタッドの取付構造が記載されている。この取付構造では、上記ジョイント部材９２を継ぎスタッド９４の下端に嵌合させるとともに、このジョイント部材９２の下端を上記スタッド９０の上端に嵌入し、ジョイント部材９２をスタッド９０内で摺動可能に配置する。
【０００４】
そして、上記継ぎスタッド９４の上端を天井側のランナー９６に押し当て、ネジ９８を使用してジョイント部材９２をスタッド９０に固定することで、スタッド９４を天井側及び床側のランナー間の寸法に応じて、伸縮自在に壁面の高さに対応させることができるというものである。
【０００５】
また、特許文献２に記載の仮設軽量間仕切は、可変長テンションスタッドに関し、第１スタッド素子と、この第１スタッド素子の内部に摺動自在に嵌挿される第２スタッド素子と、これらを弾性的に結合するためのばね装置とを含有し、全長を収縮して弾性歪エネルギーに起因する弾性反発力を上側及び下側のランナーなどに加え、強固に押圧固定するというものである。
【０００６】
特許文献３に記載の溝形材の接合構造は、一方の溝形材の端部へ両側に立上り部を形成した連結板の一部を挿入し、次いで連結板の他の一部に他方の溝形材の端部を外挿させた構造により、溝形材相互が横振れせず真直な状態に接合することができるというものである。
特許文献４には仕切柱に関し、この仕切柱を伸縮柱と差込部から構成し、伸縮柱にやや小さい他の伸縮柱を差し込んでその長さを調節する機能を有する記載がある。
【０００７】
また、特許文献５には、ランナーを長手方向に一般部用と端部用の２つのランナー構成材に分割し、これらランナー構成材を直列にスライド嵌合することで長さ寸法の調整ができるランナー構造の記載がある。
【先行技術文献】
【特許文献】
【０００８】
【特許文献１】実開昭６２−１０１９０８号公報
【特許文献２】特開平６−４２０７７号公報
【特許文献３】実開昭６３−５４７０９号公報
【特許文献４】特開２０００−４５４２４号公報
【特許文献５】特開２００１−１８２２００号公報
【発明の概要】
【発明が解決しようとする課題】
【０００９】
さて、上記特許文献１に記載のスタッドの取付構造は、スタッド、継ぎスタッド及びジョイント部材を有する構造であり、また特許文献２の可変長テンションスタッドは第１スタッド素子、第２スタッド素子及びばね装置を有する構造であり、何れのスタッドについても複数種類の材料を用いて長さ調整を行う必要がある。また、特許文献３〜５に記載の接合構造についても、何れも複数種類の材料を用いて長さ調整を行うものである。
【００１０】
このように、スタッド等を構成する部品が複数になると、部品の製造コストがかかり生産性に欠け、また倉庫での部品の管理も複雑となり、輸送にも手間取るという問題がある。
【００１１】
本発明は上記問題点を解決するためになされたものであり、生産性に優れ、管理及び輸送も容易で施工性にも優れた溝形材の接合構造を提供することを目的とする。
【課題を解決するための手段】
【００１２】
以上の技術的課題を解決するため、本発明に係る溝形材の接合構造は、図１等に示すように、基板部４、この基板部の左右の側からそれぞれ同一方向にかつ直角に形成される第一の側板部６、及び第二の側板部７を有する断面コの字状の溝形材２を用い、上記第一の側板部６の端部に内側に曲げた係合片部８を形成する一方、上記第二の側板部７に上記係合片部８が係合可能な凹状の係合溝部１０を形成し、上記溝形材２の端部から、これと同一形状の他の上記溝形材２の端部を差し込み、上記係合片部８を上記係合溝部１０に係合させて長手以外の方向には外れないように接合するとともに、上記他の溝形材２を長手方向に摺動させて両溝形材２同士が接合した断面矩形状の接合部２４を形成し、この接合部２４の長さ調整により伸縮自在な長尺材を形成した構成である。
【００１３】
ここで、上記「内側に曲げた係合片部８」としては、係合片部８を第一の側板部６に対して内側に鉤状に曲げ、係合片部８の先端部がこの係合片部８の屈曲頂点（基板部４から最も遠い位置）よりも基板部４側に位置するような形状、係合片部８を第一の側板部６に対して鋭角に屈曲した形状、或いは、係合片部８を内側に曲げ、さらにその先端部に至る途中を曲げた形状等がある。
また、上記係合溝部１０は、上記係合片部８の形状に沿った形状に溝部を形成することで、上記係合片部８を上記係合溝部１０に係合させて溝形材２同士を接合した場合、溝形材２同士の接合部２４は長手方向以外の向きには外れることがない。
【００１４】
本発明に係る溝形材の接合構造は、上記係合片部８をＵ字状に屈曲形成する一方、上記係合溝部１０をこの係合片部８が密着して係合する形状に形成した構成である。
【００１５】
本発明に係る溝形材の接合構造は、図７に示すように、基板部６４、この基板部の左右の側からそれぞれ同一方向にかつ直角に形成される第一の側板部６６、及び第二の側板部６７を有する断面コの字状の溝形材６２を用い、上記第一の側板部６６の端部に内側に曲げた係合片部６８を形成する一方、上記第二の側板部６７と上記基板部６４とが交差する部位に上記係合片部６８が係合可能な凸状の係合突部７０を形成し、上記溝形材６２の端部から、これと同一形状の他の上記溝形材６２の端部を差し込み、上記係合片部６８の溝状部７３を上記係合突部７０に係合させて長手以外の方向には外れないように接合するとともに、上記他の溝形材６２を長手方向に摺動させて両溝形材６２同士が接合した断面矩形状の接合部２４を形成し、この接合部２４の長さ調整により伸縮自在な長尺材を形成した構成である。
【００１６】
ここで、上記「内側に曲げた係合片部６８」としては、係合片部６８を第一の側板部６６に対して鋭角に屈曲した形状、係合片部６８を内側に鉤状（上記係合片部８と同様）に曲げた形状等がある。
また、上記係合突部７０は、上記係合片部６８の形状に沿った形状（折曲げ角度をもたせる等）に形成することで、上記係合片部６８の溝状部７３を上記係合突部７０に係合させて溝形材６２同士を接合した場合、溝形材６２同士は長手方向以外の向きには外れることがない。
【００１７】
本発明に係る溝形材の接合構造は、上記接合部２４において、重合する上記第一の側板部６，６６と上記第二の側板部７，６７とをビス２６で固定した構成である。
【発明の効果】
【００１８】
本発明に係る溝形材の接合構造によれば、断面コの字状の溝形材を用い、第一の側板部の端部に係合片部を形成する一方、第二の側板部に係合溝部を形成し、溝形材の端部から他の溝形材の端部を差し込み、長手方向に摺動させて両溝形材同士の接合部を形成し、この接合部の長さ調整により伸縮自在な長尺材を形成した構成としたから、溝形材の長さが調整可能なため、現場ごとに異なる長さの溝形材を取り揃える必要はなく、自由自在に長さを変更することができ、また工場の製造過程においても長さの統一が可能となるため製造コストが低減し、また倉庫での保管時には長さを短くして収納することができるため場所をとらず、かつ輸送コストも低減されるという効果を奏する。
【００１９】
本発明に係る溝形材の接合構造によれば、係合片部をＵ字状に屈曲形成する一方、係合溝部をこの係合片部が密着して係合する形状に形成した構成としたから、係合片部と係合溝部とが強固に組み合って係合し、接合部における接合が強力に行えるという効果がある。
【００２０】
本発明に係る溝形材の接合構造によれば、断面コの字状の溝形材を用い、第一の側板部の端部に係合片部を形成する一方、第二の側板部に係合突部を形成し、溝形材の端部から他の溝形材の端部を差し込み、長手方向に摺動させて両溝形材同士の接合部を形成し、この接合部の長さ調整により伸縮自在な長尺材を形成した構成としたから、溝形材の長さが調整可能なため、現場ごとに異なる長さの溝形材を取り揃える必要はなく、自由自在に長さを変更することができ、また工場の製造過程においても長さの統一が可能となるため製造コストが低減し、また倉庫での保管時には長さを短くして収納することができるため場所をとらず、かつ輸送コストも低減されるという効果を奏する。
【００２１】
本発明に係る溝形材の接合構造によれば、接合部において、重合する第一の側板部と第二の側板部とをビスで固定した構成としたから、簡単に接合部の固定及び補強が行えるという効果がある。
【図面の簡単な説明】
【００２２】
【図１】本発明の実施の形態に係る溝形材の接合構造を示す斜視図である。
【図２】実施の形態に係る溝形材の断面形状を示す図である。
【図３】実施の形態に係り、溝形材同士を接合した接合部の断面を示す図である。
【図４】実施の形態に係り、係合片部の形状を示す図であり、（ａ）は係合片を鋭角に屈曲した形状、（ｂ）（ｃ）は係合片を内側に鉤状に曲げた形状、（ｄ）（ｅ）は係合片を内側にかつその先端部に至る途中を曲げた形状である。
【図５】溝形材の接合構造を、間仕切り材（或いは壁下地材）用のスタッド材（間柱）に利用した形態を示す図である。
【図６】溝形材の接合構造を、天井下地材として野縁材に利用した形態を示す図である。
【図７】溝形材の接合構造を、天井下地材として野縁受け材に利用した形態を示す図である。
【図８】他の実施の形態に係り、溝形材同士を接合した接合部の断面を示す図である。
【図９】他の実施の形態に係る溝形材の断面形状を示す図である。
【図１０】従来例に係るスタッドの取付構造を示す図である。
【発明を実施するための形態】
【００２３】
以下、本発明の実施の形態を図面に基づいて説明する。
図１は、実施の形態に係る溝形材２の接合構造を示したものである。
上記溝形材２は図２に示すように、基板部４、この基板部４の左右の側からそれぞれ同一方向に向けて直角に立上る第一の側板部６、及び第二の側板部７を有する断面コの字状の形状である。
【００２４】
この溝形材２は、プレス加工により軽量鋼板（ここでは板厚０．５ｍｍ）を屈曲成形したものであるが、他に、アルミニウムなどの軽量金属の押し出し成形、或いは合成樹脂の成形により形成することができる。
【００２５】
上記溝形材２の第一の側板部６の端部には、断面が内側にかつＵ字状に屈曲した係合片部８が形成され、第二の側板部７には基板部４の近傍に、断面が凹状の係合溝部１０が形成されている。また、第二の側板部７の先端部にはＬ形に内側に折り曲げられた屈曲部１１が形成され、第二の側板部７を補強している。
【００２６】
上記係合片部８は、Ｕ字状に屈曲した係合片１２を有し、この係合片１２と第一の側板部６とによってＵ字状の溝状部１３が形成されている。この溝状部１３の幅（Ｓ１）は１ｍｍである。
上記係合溝部１０は、上記基板部４と第二の側板部７との境界近傍の第二の側板部７の部位を内側凹状に屈曲して形成したものである。
【００２７】
この係合溝部１０はより詳しくは、図２に示すように、基板部４の端部を内側に折り返して第一の折返部１４を形成し、さらに第二の側板部７と平行な方向に屈曲して第一の溝板部１６を形成する。そして、この第一の溝板部１６をＵ字状に屈曲し、後に第二の側板部７に接する第二の溝板部１７を形成し、上記第一の溝板部１６と第二の溝板部１７との間に屈曲溝部１８を形成する。この屈曲溝部１８の幅（Ｓ２）は０．５ｍｍである。
【００２８】
さらに、この第二の溝板部１７を、上記第一の折返部１４に当たる少し（略０．５ｍｍ）手前で外側に折り返し（これにより溝開口部２０が形成される）、上記第二の溝板部１７に接する形態の上記第二の側板部７を形成し、上記第二の溝板部１７と第二の側板部７により断面Ｕ字状の凸状部２２が形成される。ここで、上記第一の折返部１４の端部に対して、第二の側板部７は少し内側に形成され、その間隔（Ｓ３）は、板厚と同じ０．５ｍｍである。この間隔（Ｓ３）により、後述する溝形材２同士の接合部２４は、角部が正確に形成される。
【００２９】
上記溝形材２は、係合溝部１０を形成する屈曲溝部１８及び溝開口部２０に、他の溝形材２の係合片部８の係合片１２が嵌合可能な形状であり、また係合溝部１０を形成する凸状部２２に、他の溝形材２の係合片部８の溝状部１３が嵌合可能な形状となっている。
このように、溝形材２の係合片部８（係合溝部１０）は、他の溝形材２の係合溝部１０（係合片部８）と係合（嵌合）が可能である。なお、係合片部８と係合溝部１０との間に遊びはほとんど無いが、両者が係合（嵌合）する際は、上記屈曲溝部１８及び溝状部１３の溝幅は鋼板のバネ作用により拡大可能であり、またこのバネ作用により両者は密着する。
【００３０】
さて、上記溝形材２は、同一形状（断面）の２本の溝形材２同士を接合して１本の長さ調整可能な長尺材として用いる。
この場合、先ず各溝形材２の側板部６，７同士が係合するように向い合せに、かつ一方の溝形材２の端部と、他方の溝形材２の端部同士の突合が可能となるように、長手方向に分けて配置する。
【００３１】
そして図３に示すように、一方の溝形材２の第一の側板部６に形成された係合片部８を、他方の溝形材２の第二の側板部７に形成された係合溝部１０に嵌め入れ、これと同時に、一方の溝形材２の第二の側板部７に形成された係合溝部１０を、他方の溝形材２の第一の側板部６に形成された係合片部８に嵌め入れる。
【００３２】
さらに、上記一方の溝形材２の端部から、他方の溝形材２の端部を差し込み摺動させて両溝形材２同士が重なった断面矩形状の接合部２４を形成する。この接合部２４では、第一の側板部６（第二の側板部７）と第二の側板部７（第一の側板部６）とが密着して重なる。
そして、上記接合部２４の長さを調整することにより、溝形材２同士の接合構造によって一体形成された伸縮自在な長尺材を得る。
【００３３】
上記溝形材２同士の接合構造による長尺材の長さが決まれば、その接合部２４をビス２６などの止着具を用いて固定する。このビス２６としては、例えばセルフドリル可能なビスを用いる。
上記ビス２６は、上記接合部２４の第一の側板部６からねじ込みこれを第二の側板部７に固定する。ビス２６は接合部２４の左右の側に用いてもよく、また接合部２４の一方の側に複数用いてもよい。このビス止めによる接合部２４の固定によって、長尺材の長さが固定され、併せて接合部２４の強度が補強される。なお、他に接着剤を用いて接合部２４を固定することもできる。
【００３４】
上記係合片部８は、ここでは断面Ｕ字状としているが、これは他の形状を採用することができる。
例えば、図４に示すように、係合片１２を第一の側板部６に対して鋭角に屈曲した形状（図４（ａ））、係合片１２を内側に鉤状に曲げ係合片１２の先端部が、この係合片１２の屈曲頂点（基板部４から最も遠い位置）よりも基板部４側に位置する形状（図４（ｂ）（ｃ））、或いは、係合片１２を内側に曲げ、さらにその先端部に至る途中を曲げた形状等（図４（ｄ）（ｅ））としてもよい。
要は、係合片１２を鋭角に屈曲し、或いは係合片１２自体を曲げた形状に形成する。
この場合、係合溝部１０の屈曲溝部１８については、係合片１２の形状に沿った形状に形成し、係合片１２が屈曲溝部１８に密着するように形成する。
このように、係合片部８（係合溝部１０）を形成することで、溝形材２同士を上記のよう接合した場合、溝形材２同士は長手方向以外の向きには外れることがない。
【００３５】
また、上記溝形材の接合構造は、２本の溝形材２を接合して構成するものであるが、他に、３本以上の溝形材２を接合して使用してもよい。
また、上記溝形材２は、工場で予め所定（規格）の長さに調整して出荷される。通常は、現場で必要な長さ寸法の半分より少し長め（接合部のため）の長さに溝形材を調整する。
上記溝形材の接合構造は、建物における間仕切り材、壁下地材としてのスタッド（間柱）、天井下地材としての野縁材、野縁受け材、或いは床下地材としての根太材、大引材等に利用可能である。
【００３６】
図５は、上記溝形材の接合構造による伸縮自在な長尺材を、間仕切り材（或いは壁下地材）用のスタッド材３０（間柱）に利用した形態を示したものである。
ここでは、部屋の天井側に天井側ランナー材３２を配置し、床面側に床側ランナー材３４を配置する。これら各ランナー材は、断面がコの字状の溝部を有しており、上下のランナー材間に上記伸縮自在な長尺材を配置する。
【００３７】
この場合、２本の溝形材２を接合してスタッド材３０を形成し、必要な長さに調整し、ビス２６を接合部２４に止着して長さを固定する。
そして、このスタッド材３０の各端部を上下のランナー材の各溝部に嵌入し、スタッド材３０の端部と各ランナー材とをビス２６で固定する。また、必要によりスタッド材３０間に振止め材３６を架設する。さらに、各スタッドに壁材３８を張り付けて仕上げる。
【００３８】
間仕切り材用のスタッド材は、通常、全長のサイズにプレカットしたスタッド材を用意することになるが、上記溝形材の接合構造による伸縮自在な長尺材を用いた場合、全長の半分より少し長めの一種類の溝形材（略規格のサイズのもので足りる）を用意すればよい。
【００３９】
また、現場ごとに天井高さが異なる場合などでは、各現場に応じた長さのスタッド材を用意する必要があるが、上記伸縮自在な長尺材を用いた場合、一種類の長さの溝形材を用意するのみで、現場では伸縮調整により対処可能である。これから、工場における生産管理、在庫管理及び輸送などが容易となる。
【００４０】
また、例えば、床基礎面の不陸などで上下のランナー材間の長さに多少のズレが生じているような場合には、各スタッド材を配置する個所に応じてその箇所に合った長さのスタッド材を作成すればよく、上記伸縮自在な長尺材によれば、簡単に長さの調整が行えかつビスを用いて必要な長さに固定できる。
【００４１】
このように、上記伸縮自在な長尺材を間仕切材等に使用した場合、天井および床の不陸に対し、都度調整をする必要がなく施工面での簡略化が図れる。また、階層別に天井高さが数ｍｍ異なるような現場であっても、別寸法のスタッドを用意する必要もなく部品管理の煩わしさも解消される。
【００４２】
図６は、上記溝形材の接合構造による伸縮自在な長尺材を、天井下地材として野縁材４０に利用した形態を示したものである。
ここでは、壁面４２（及び向かい側の壁面）の上部に横向きにランナー材４４を配置し、両ランナー間に野縁材４０を取り付ける。ここで、２本（或いは３本以上）の溝形材２を接合して野縁材４０を形成し、必要な長さに調整し、ビス２６を接合部２４に止着して長さを固定する。そして、この野縁材４０を上記ランナー材４４間に架設する。また、各野縁材４０に天井板を張り付けて仕上げる。
【００４３】
この場合においても、通常、全長のサイズにプレカットした野縁材を用意し、或いは接続金具を用いて野縁材同士を接合することになるが、上記伸縮自在な長尺材を用いた場合、全長の半分より少し長めの一種類の溝形材を用意すればよい。
【００４４】
一般に野縁は、壁の内法寸法で野縁寸法が決定され、例えば壁内に石膏ボードが張られるか否かで、野縁寸法が数ｍｍ違ってしまう。この場合、上記伸縮自在な長尺材を用いることで、上記数ｍｍの差に関して野縁を切り分ける必要がなく、生産、在庫、納入形態、施工面で簡略化が図れる。
【００４５】
また、現場ごとに壁面間（ランナー材間）の距離が異なる場合などでは、各現場に応じた長さの野縁材を用意する必要があるが、上記伸縮自在な溝形材の場合、一種類の長さの溝形材を用意するのみで、後は伸縮調整によりどの現場にも対処可能とすることができる。
【００４６】
図７は、上記溝形材の接合構造による伸縮自在な長尺材を、天井下地材として野縁受け材５０に利用した形態を示したものである。
ここでは、天井の梁などから所定の間隔をおいてハンガー５２を吊り下げ、これに野縁受け材５０を取り付ける。ここで、２本（或いは３本以上）の溝形材２を接合して野縁受け材５０を形成し、必要な長さに調整し、ビス２６を接合部２４に止着して長さを固定する。
【００４７】
そして、上記野縁受け材５０を上記ハンガー５２の受部に架設する。野縁受け材５０の下部にこれと直交する方向に野縁材５４を配置し、クリップ５６を用いて野縁材５４を野縁受け材５０に取り付ける。また、各野縁材５４に天井板５８を張り付けて仕上げる。
この場合であっても、上記伸縮自在な長尺材を用いることで、上記野縁材４０の場合と同様な作用効果が得られる。
【００４８】
従って、上記実施の形態によれば、溝形材の長さが調整可能なため、現場ごとに異なる長さの溝形材を取り揃える必要はなく、また現場での設計変更等があった場合にも、自由自在に長さを変更可能であり利便性に優れる。また、工場での製造においても、異なる長さの溝形材を製造する必要がなく長さの統一が可能となるため製造コストが低減し、また倉庫での保管時には長さを短くして収納することができるため場所をとらず、かつ輸送コストも低減されるという効果がある。
【００４９】
図８は、他の実施の形態に係る溝形材６２の接合構造を示したものである。
上記溝形材６２は図９に示すように、基板部６４、この基板部６４の左右の側からそれぞれ同一方向に向けて直角に立上る第一の側板部６６、及び第二の側板部６７を有する断面コの字状の形状である。
【００５０】
この溝形材６２は、プレス加工により軽量鋼板（ここでは板厚０．５ｍｍ）を屈曲成形したものであるが、他に、アルミニウムなどの軽量金属の押し出し成形、或いは合成樹脂の成形により形成することができる。
【００５１】
上記溝形材６２の第一の側板部６６の端部には、断面が内側にかつＵ字状に屈曲した係合片部６８が形成され、また第二の側板部６７と基板部６４とが交差する部位には、断面が凸状の係合突部７０が形成されている。また、第二の側板部６７の先端部にはＬ形に内側に折り曲げられた屈曲部７１が形成され、第二の側板部６７を補強している。
【００５２】
上記係合片部６８は、Ｕ字状に屈曲した係合片７２を有し、この係合片７２と第一の側板部６６とによってＵ字状の溝状部７３が形成されている。この溝状部７３の幅は１ｍｍである。
上記係合突部７０は、上記基板部６４と第二の側板部６７とが交差する境界において、第二の側板部６７の端部を、この第二の側板部６７に沿って外側へ凸状に突出形成したものである。
【００５３】
この係合突部７０はより詳しくは、第二の側板部６７の端部（基板部６４とが交差する部位）をそのまま直線状に延長し、その先を内側（基板部６４側）に折り返して折返部７４を形成し、さらに直角に屈曲して基板部６４へと続く形状である。この折返部７４は、隙間のないかしめた形状に折り返しており、このため係合突部７０の厚さは１ｍｍである。
【００５４】
上記溝形材６２は、係合突部７０に、他の溝形材６２の係合片部６８の溝状部７３が嵌合可能な形状となっている。
このように、溝形材６２の係合片部６８（係合突部７０）は、他の溝形材６２の係合突部７０（係合片部６８）と係合（嵌合）が可能である。なお、係合片部６８と係合突部７０との間に遊びはほとんど無いが、両者が係合（嵌合）する際は、上記溝状部７３の溝幅は鋼板のバネ作用により拡大可能であり、またこのバネ作用により両者は密着する。
【００５５】
さて、上記溝形材６２は、同一形状（断面）の２本の溝形材６２同士を接合して１本の長さ調整可能な長尺材として用いる。
この場合、先ず各溝形材６２の側板部６６，６７同士が係合するように向い合せに、かつ一方の溝形材６２の端部と、他方の溝形材６２の端部同士の突合が可能となるように、長手方向に分けて配置する。
【００５６】
そして図８に示すように、一方の溝形材６２の第一の側板部６６に形成された係合片部６８の溝状部７３を、他方の溝形材６２の第二の側板部６７に形成された係合突部７０に嵌め入れ、これと同時に、一方の溝形材６２の第二の側板部６７に形成された係合突部７０を、他方の溝形材６２の第一の側板部６６に形成された係合片部６８の溝状部７３に嵌め入れる。
【００５７】
さらに、上記一方の溝形材６２の端部から、他方の溝形材６２の端部を差し込み摺動させて両溝形材６２同士が重なった断面矩形状の接合部２４を形成する。この接合部２４では、第一の側板部６６（第二の側板部６７）と第二の側板部６７（第一の側板部６６）とが密着して重なる。
そして、上記接合部２４の長さを調整することにより、溝形材６２同士の接合構造によって一体形成された伸縮自在な長尺材を得る。
【００５８】
上記溝形材２同士の接合構造による長尺材の長さが決まれば、その接合部２４を上記実施の形態と同様にビス２６などの止着具を用いて固定する。このビス２６としては、例えばセルフドリル可能なビスを用いる。
【００５９】
上記係合片部６８は、ここでは断面Ｕ字状としているが、これは他に係合片７２を第一の側板部６６に対して鋭角に屈曲した形状、又は係合片７２を内側に鉤状（上記係合片部８と同様）に曲げた形状等としてもよい。
この場合、係合突部７０については、係合片７２の溝状部７３の形状に沿った形状（折曲げ角度をもたせる等）に形成し、係合片７２の溝状部７３が係合突部７０に密着するように形成する。
このように、係合片部６８（係合突部７０）を形成することで、溝形材２同士を上記のように接合した場合、溝形材６２同士は長手方向以外の向きには外れることがない。
【００６０】
また、上記溝形材の接合構造は、２本の溝形材６２を接合して構成するものであるが、他に、３本以上の溝形材６２を接合して使用してもよい。
また、上記溝形材６２は、工場で予め所定（規格）の長さに調整して出荷される。通常は、現場で必要な長さ寸法の半分より少し長め（接合部のため）の長さに溝形材を調整する。
【００６１】
上記溝形材の接合構造は、建物における間仕切り材、壁下地材としてのスタッド（間柱）、天井下地材としての野縁材、野縁受け材、或いは床下地材としての根太材、大引材等に利用可能である。
具体的な利用形態は、上記実施の形態で図示説明（スタッド材、野縁材、野縁受け材）したものと同様である。
また、この実施の形態の効果についても上記実施の形態と同様、現場ごとに異なる長さの溝形材を取り揃える必要はなく、また現場での設計変更等があった場合にも、自由自在に長さを変更可能であり利便性に優れ、また、異なる長さの溝形材を製造する必要がなく長さの統一が可能となるため製造コストが低減し、また倉庫での保管時には長さを短くして収納することができるため場所をとらず、かつ輸送コストも低減されるという効果がある。
【符号の説明】
【００６２】
２，６２  溝形材
４，６４  基板部
６，６６  第一の側板部
７，６７  第二の側板部
８，６８  係合片部
１０  係合溝部
７０  係合突部
２４  接合部
２６  ビス
【図１】
0005714404.tif 000002
【図２】
0005714404.tif 000003
【図３】
0005714404.tif 000004
【図４】
0005714404.tif 000005
【図５】
0005714404.tif 000006
【図６】
0005714404.tif 000007
【図７】
0005714404.tif 000008
【図８】
0005714404.tif 000009
【図９】
0005714404.tif 000010
【図１０】
0005714404.tif 000011